(57)【要約】【課題】  多本掛けの場合でも重錘が自転しないフック過巻防止装置用重錘を提供する。【解決手段】  外筒重錘と内筒重錘とからなるフック過巻防止装置用の重錘であって、内筒重錘は外筒重錘とほぼ同じ長さを有すると共に、外筒重錘に対してベアリングを介して回転自在に構成した。【選択図】図３
2005170645.tif 000002
【特許請求の範囲】
【請求項１】
外筒重錘と内筒重錘とからなるフック過巻防止装置用の重錘であって、内筒重錘は外筒重錘とほぼ同じ長さを有すると共に、外筒重錘に対してベアリングを介して回転自在に構成したことを特徴とするフック過巻防止装置用重錘。
【請求項２】
外筒重錘の上端に当該外筒重錘を吊り下げるロープフランジを１対設け、この１対のロープフランジに連結された各吊り下げロープを、リンク式チェーンで構成してブームヘッドの一側に１箇所から吊り下げたことを特徴とする請求項１記載のフック過巻防止装置用重錘。
【請求項３】
上記ロープフランジに連結された１対の吊り下げロープを、１対の剛体部分と、各剛体の先端を連結した連結ピンと、該連結ピンに連結された１本のリンク式チェーンとから構成したことを特徴とする請求項２記載のフック過巻防止装置用重錘。
【発明の詳細な説明】
【技術分野】
【０００１】
本発明は、クレーンのフック過巻防止装置に用いられる重錘に関するものである。
【背景技術】
【０００２】
知られるように、フック過巻防止装置は、巻上ロープが掛け回されたフックブロックが巻上される際に、巻上過ぎるのを防止する為に、クレーンブームの上部側面からマイクロスイッチを介してロープで吊り下げられた重錘が、フックブロックで持ち上げられた時にマイクロスイッチが作動して、ウインチを自動停止することで、フックの過巻を防止する装置である。
【０００３】
フックブロックを１本のロープで吊るす１本掛け作業において、上記重錘を一体形構造のものを用いた場合、巻上巻下の始動時に、巻上ロープに急激な負荷が作用する。この際、巻上ロープが縒り戻されて回転力が発生し、フックブロック連結部とトップシーブとの間の巻上ロープが中膨れ状態で円を描くように回転する。さすれば、巻上ロープが挿通されて吊り下げられた重錘は、巻上ロープとの回転摩擦により、その抵抗で自転し、最後には巻上ロープに絡み付いたままになり、安全装置としてのフック過巻防止装置が機能しなくなる。
【０００４】
このような問題点を解決するフック過巻防止装置用重錘として、外部重錘と、該外部重錘内を回転及び上下動可能な内部重錘との二分割構造とし、内部重錘を外部重錘より長い寸法に設定した胴部とその両端に外部重錘の上下面に当接可能なフランジを形成したものが公知である（特許文献１参照）。
【０００５】
この公知技術においては、内部重錘が外部重錘に遊嵌されている為、重錘の上記自転作用は、内部重錘だけが直接受け、外部重錘へは伝播されないので、重錘の巻上ロープへの絡み付きが防止できる。また、急激な巻上操作時に、巻上ロープと重錘間の干渉により発生する重錘のジャンピング現象に対しては、内部重錘が外部重錘に対して上下動できるので、外部重錘への影響が少なく、フック過巻防止装置の誤作動が防止できる。
【特許文献１】実開昭６３−１８０６９６号公報
【発明の開示】
【発明が解決しようとする課題】
【０００６】
上記公知技術にあっては、１本掛けのフックの場合にはその効果を奏することができるものの、多本掛けフックの場合には充分に機能しないことが判明した。
【０００７】
即ち、図１に側面図で示すように、多本掛けフックの場合は、フックブロック１のシーブ２に掛け回された巻上ロープ３の一端３ａは、重錘４を挿通してクレーンブーム５のブームヘッド６に係止され、他端はシーブ２、トップシーブ７ａ、７ｂを経て図示略したウインチに巻き取られるように掛け回されるが、重錘４を吊り下げるロープ８は、前方に巻上ロープ３ｂが存在する為に、図２に正面図で示すように、ブームヘッド６の一側から吊り下げざるを得ない。
【０００８】
この際、この重錘４を特許文献１の内部重錘と外部重錘とからなる重錘を用いたとしても、図１、図２から理解できるように、外部重錘は斜め引きとなるのに対して内部重錘は垂直状態を維持しようとするために、内部重錘の外周面に外部重錘の内周面が強く押付けられることによる著しい摩擦抵抗により、内部重錘と外部重錘とが一体的に自転し、従来技術と同様に最後には巻上ロープに絡み付いたままになり、安全装置としてのフック過巻防止装置が機能しなくなる。
【０００９】
そこで本発明は、多本掛けの場合でも重錘が自転しないフック過巻防止装置用重錘を提供するものである。
【課題を解決するための手段】
【００１０】
請求項１の発明は、外筒重錘と内筒重錘とからなるフック過巻防止装置用の重錘であって、内筒重錘は外筒重錘とほぼ同じ長さを有すると共に、外筒重錘に対してベアリングを介して回転自在に構成したことを特徴とするフック過巻防止装置用重錘である。
【００１１】
請求項２の発明は、請求項１の構成において、外筒重錘の上端に当該外筒重錘を吊り下げるロープフランジを１対設け、この１対のロープフランジに連結された各吊り下げロープを、リンク式チェーンで構成してブームヘッドの一側に１箇所から吊り下げて構成したものである。
【００１２】
請求項３の発明は、請求項２の構成において、上記ロープフランジに連結された１対の吊り下げロープを、１対の剛体部分と、各剛体の先端を連結した連結ピンと、該連結ピンに連結された１本のリンク式チェーンとから構成したものである。
【発明の効果】
【００１３】
上記のように本発明によると、外筒重錘に対して内筒重錘がベアリングを介して内挿されているから、外筒重錘が斜め引きされていてもベアリングの存在により、内筒重錘のみが常に円滑に自転することができ、巻上ロープへの絡み付きが確実に防止できる。
【００１４】
請求項２の発明によると、外筒重錘を吊り下げるロープをリンク式チェーンで構成したから、仮に外筒重錘にも自転力が作用するような状態が生じたとしても捻り抗力があるため外筒重錘の自転が防止でき、巻上ロープへの絡み付きがより確実に防止できる。
【００１５】
請求項３の発明によると、外筒重錘を吊り下げるロープを１対の剛体部分と、各剛体の先端を連結した連結ピンと、該連結ピンに連結された１本のリンク式チェーンとから構成したから、仮に外筒重錘にも自転力が作用するような状態が生じたとしても、剛体部分とリンク式チェーンにより確実に捻りが防止されるため、外筒重錘の自転が完全に防止でき、巻上ロープへの絡み付きを無くすことができる。
【発明を実施するための最良の形態】
【００１６】
本発明の実施形態を図１〜図４によって説明する。
【００１７】
以下の実施形態では、ラチスブームクレーンでの多本掛けフックを適用対象として例示し、その適用対象の基本構成は図１と同じであるので、これを援用して同一部材に関しては同一符号を用いて説明する。
【００１８】
図１に示すように、ラチスブームクレーンのブーム５の先端部であるブームヘッド６には、２つのトップシーブ７ａ、７ｂがあり、図示しないウインチから巻き出された巻上ロープ３が、トップシーブ７ａ、７ｂを経てフックブロック１のシーブ２に掛け回されて、フック過巻防止装置用重錘４を挿通してその先端がブームヘッド６の一側に固定されている。
【００１９】
フック過巻防止装置用重錘４は、図３にその形態を示すように、上端に吊り下げロープ８を取付ける１対のフランジ９ａ、９ｂを備えた外筒重錘４ａと、この外筒重錘４ａとほぼ同じ長さの内挿された内筒重錘４ｂとで構成され、外筒重錘４ａに対して内筒重錘４ｂが回転自在となるように両者間にベアリング１０ａ、１０ｂが装着されている。１１はこれらのベアリングへの給脂口である。
【００２０】
上記フランジ９ａ、９ｂに取付けた吊り下げロープ８は、図２に示すようにブームヘッド６の一側に取付けたリミットスイッチ装置１２の一端に取付けられている。このリミットスイッチ装置１２は従来から存在するものと同一であり、フックブロック１が過巻状態に近づくと、重錘４がフックブロック１と一体的に上昇することで、吊り下げロープ８に弛みが生じて、これによりリミットスイッチ装置１２内の図示しないバネピストン機構により、ピストンがバネに押されてリミットスイッチを作動させる。これを検知してウインチを停止させる。
【００２１】
上記構成からなる実施形態での作用を説明すると、背景技術で説明したように巻上巻下の始動時に生じる巻上ロープ３の円運動に伴う重錘４の自転運動は、外筒重錘４ａの吊り下げロープ８が斜め引きとなっていることと相俟って、内部を挿通する巻上ロープ３ａが非常に強く押付けられる内筒重錘４ｂに伝播される。しかし、この自転する内筒重錘４ｂと外筒重錘４ａとの間には、ベアリング１０ａ、１０ｂが存在する為に、内筒重錘４ｂのみが自転し外筒重錘４ａには伝播されることがない。
【００２２】
従って、外筒重錘４ａの吊り下げロープ８が斜め引きとなっていても、外筒重錘４ａが自転しないので吊り下げロープ８が巻上ロープ３に絡み付くことがなく、フック過巻防止装置が正確に作動する。
【００２３】
次に他の実施形態について説明する。
【００２４】
上記実施形態での外筒重錘４ａの吊り下げロープ８は、ワイヤロープで構成されているが、これを図示しないリンク式チェーンとしても良い。このようにすれば、仮に外筒重錘４ｂにも自転力が作用するような状態が生じたとしても、リンク式チェーンには捻り抗力があるため外筒重錘４ｂの自転が防止でき、巻上ロープへの絡み付きをより確実に防止することができる。
【００２５】
更に、図４に示すように、外筒重錘４ａの吊り下げロープ８を、１対の剛体部分１３、１３と、各剛体１３の先端を連結した連結ピン１４と、該連結ピン１４に連結された１本のリンク式チェーン１５とから構成しても良い。このようにすれば、剛体部分１３とリンク式チェーン１５とでより確実に捻りが防止されるため、外筒重錘４ａの自転が完全に防止でき、巻上ロープへの絡み付きを無くすことができる。
【００２６】
上記実施形態は、いずれも多本掛けフックで説明したが１本掛けフックにも適用することができることは言うまでもない。
【図面の簡単な説明】
【００２７】
【図１】本発明の実施形態を示すクレーンブーム先端側の側面図である。
【図２】同正面図である。
【図３】（ａ）本発明の重錘を示す部分拡大側面図である。        （ｂ）矢視Ａから見た（ａ）の断面図である。
【図４】重錘の他の実施例を示す部分拡大図である。
【符号の説明】
【００２８】
１  フックブロック
２  シーブ
３、３ａ、３ｂ  巻上ロープ
４  重錘
４ａ  外筒重錘
４ｂ  内筒重錘
５  ブーム
６  ブームヘッド
７ａ、７ｂ  トップシーブ
８  重錘吊り下げロープ
１０ａ、１０ｂ  ベアリング
１２  リミットスイッチ装置
１３  剛体部分
１４  連結ピン
１５  リンク式チェーン
【図１】
2005170645.tif 000003
【図２】
2005170645.tif 000004
【図３】
2005170645.tif 000005
【図４】
2005170645.tif 000006